(57)【要約】【課題】コピーまたは切り取った文字列等を格納する際の操作性を向上させることを課題とする。【解決手段】携帯端末装置は、所定の表示部に表示される表示情報に対するコピー操作または切り取り操作を受け付けた場合に、少なくとも１つのカテゴリを所定の表示部に表示させる。そして、携帯端末装置は、コピー操作または切り取り操作された表示情報を、所定の表示部に表示されるカテゴリの中から選択されたカテゴリに対応付けてメモリに格納する。【選択図】図１
2014203404.tif 000002
【特許請求の範囲】
【請求項１】
メモリと、
前記メモリに接続されるプロセッサと、を有し、
前記プロセッサは、
所定の表示部に表示される表示情報に対するコピー操作または切り取り操作を受け付けた場合に、少なくとも１つのカテゴリを前記所定の表示部に表示させ、
前記コピー操作または前記切り取り操作された前記表示情報を、前記所定の表示部に表示されるカテゴリの中から選択されたカテゴリに対応付けて前記メモリに格納する
処理を実行することを特徴とする電子機器。
【請求項２】
前記プロセッサは、前記コピー操作または前記切り取り操作された前記表示情報の種別に対応するカテゴリを、前記所定の表示部に表示させることを特徴とする請求項１に記載の電子機器。
【請求項３】
前記プロセッサは、前記コピー操作または前記切り取り操作された前記表示情報と類似するコピー済みの情報または切り取り済みの情報に対応付けられているカテゴリを、前記所定の表示部に表示させることを特徴とする請求項１に記載の電子機器。
【請求項４】
前記プロセッサは、前記所定の表示部がタッチパネルである場合に、前記コピー操作または前記切り取り操作された前記表示情報がフリックされた方向に表示されるカテゴリに対応付けて、前記フリックされた前記表示情報を格納することを特徴とする請求項１から３のいずれか一つに記載の電子機器。
【請求項５】
前記プロセッサは、貼り付け操作を受け付けた場合に、各カテゴリを前記所定の表示部に表示させ、表示させたカテゴリのうち選択されたカテゴリに対応付けられたコピー済みの情報または切り取り済みの情報を前記所定の表示部に表示させ、表示させた情報のうち選択された情報を、指定された位置に貼り付けることを特徴とする請求項１から４のいずれか一つに記載の電子機器。
【請求項６】
電子機器に、
所定の表示部に表示される表示情報に対するコピー操作または切り取り操作を受け付けた場合に、少なくとも１つのカテゴリを前記所定の表示部に表示させ、
前記コピー操作または前記切り取り操作された前記表示情報を、前記所定の表示部に表示されるカテゴリの中から選択されたカテゴリに対応付けてメモリに格納する
処理を実行させることを特徴とする複写制御プログラム。
【発明の詳細な説明】
【技術分野】
【０００１】
本発明は、電子機器および複写制御プログラムに関する。
【背景技術】
【０００２】
従来、パーソナルコンピュータや携帯電話機、スマートフォンなどの電子機器では、コピーアンドペーストやカットアンドペーストが利用されている。また、タッチパネルを有する電子機器では、タッチパネル上でコピーやペースト操作を受け付けて、コピーアンドペーストやカットアンドペーストを実行する。
【０００３】
近年では、複数の文字列等をクリップボードに保存し、ペースト時に文字列の選択を受け付けて、指定された位置に貼り付ける技術も知られている。例えば、コピーまたはカット時では、電子機器は、Ｗｅｂページ等の文字列や画像等に対してコピーまたは切り取り操作を受け付けると、当該文字列等をコピーまたは切り取ってクリップボードに保存する。ペースト時では、電子機器は、ペースト操作を受け付けると、クリップボードに格納されるコピー済みまたは切り取り済みの文字列等を表示し、ペースト対象の文字列等の選択を受け付ける。そして、電子機器は、選択されたペースト対象の文字列等を、指定された位置に貼り付ける。
【先行技術文献】
【特許文献】
【０００４】
【特許文献１】特開２０１１−２０９８２２号公報
【特許文献２】特開２００５−７１３４９号公報
【特許文献３】特開２０００−３２１５５号公報
【発明の概要】
【発明が解決しようとする課題】
【０００５】
しかしながら、上記技術では、クリップボードに多くの文字列等を格納した場合には、クリップボード内の多くの文字列の中からペースト対象の文字列等を検索することになるので、ペースト操作の操作性がよくない。そのため、文字列等をカテゴリ分けしてクリップボードに格納し、ペースト操作時にカテゴリを選択することで表示されるペースト候補を絞り込むことが考えられる。しかし、その場合、格納時にカテゴリを指定しなければならいという問題がある。
【０００６】
開示の技術は、上記に鑑みてなされたものであって、コピーまたは切り取った文字列等を格納する際の操作性を向上させることができる電子機器および複写制御プログラムを提供することを目的とする。
【課題を解決するための手段】
【０００７】
本願の開示する電子機器および複写制御プログラムは、一つの態様において、メモリと、前記メモリに接続されるプロセッサと、を有する。前記プロセッサは、所定の表示部に表示される表示情報に対するコピー操作または切り取り操作を受け付けた場合に、少なくとも１つのカテゴリを前記所定の表示部に表示させる。前記プロセッサは、前記コピー操作または前記切り取り操作された前記表示情報を、前記所定の表示部に表示されるカテゴリの中から選択されたカテゴリに対応付けて前記メモリに格納する。
【発明の効果】
【０００８】
本発明の１実施態様によれば、コピーまたは切り取った文字列等を格納する際の操作性を向上させることができる。
【図面の簡単な説明】
【０００９】
【図１】図１は、実施例１に係る携帯端末装置を説明する図である。
【図２】図２は、実施例１に係る携帯端末装置の構成を示すブロック図である。
【図３】図３は、実施例１に係る携帯端末装置が記憶するクリップボードの例を示す図である。
【図４】図４は、実施例１に係る携帯端末装置が記憶するアイコン表示領域の例を示す図である。
【図５】図５は、実施例１に係る携帯端末装置が実行するコピー処理の流れを示すフローチャートである。
【図６】図６は、実施例１に係る携帯端末装置が実行するペースト処理の流れを示すフローチャートである。
【図７】図７は、実施例２に係る携帯端末装置が実行するカテゴリ選択処理の流れを示すフローチャートである。
【図８】図８は、実施例２に係る携帯端末装置を説明する図である。
【図９】図９は、実施例３に係る携帯端末装置が実行するカテゴリ選択処理の流れを示すフローチャートである。
【図１０】図１０は、実施例３に係る携帯端末装置を説明する図である。
【図１１】図１１は、実施例４に係る携帯端末装置のアイコン表示例１を説明する図である。
【図１２】図１２は、実施例４に係る携帯端末装置のアイコン表示例２を説明する図である。
【図１３】図１３は、１つのクリップボードの領域を区分けした例を示す図である。
【発明を実施するための形態】
【００１０】
以下に、本願の開示する電子機器および複写制御プログラムの実施例を図面に基づいて詳細に説明する。なお、この実施例によりこの発明が限定されるものではない。また、以下の各実施例は、矛盾しない範囲で適宜組みあわせてもよい。
【実施例１】
【００１１】
［携帯端末装置の説明］
図１は、実施例１に係る携帯端末装置を説明する図である。図１に示す携帯端末装置１０は、スマートフォン、タブレット端末装置、携帯電話、パーソナルコンピュータなどの電子機器の一例である。ここでは、一例として、携帯端末装置１０がタッチパネルを有したスマートフォンである場合を想定して説明する。
【００１２】
ここでは、コピーアンドペーストを例にして説明するが、これに限定されるものではなく、カットアンドペーストでも同様に処理することができる。また、文字列をコピーアンドペーストする例で説明するが、これに限定されるものではなく、画像、動画、図面等であっても同様に処理することができる。
【００１３】
携帯端末装置１０は、タッチパネルである表示部１４上でタッチパネルに対する長押し等のコピー操作を検出した場合、カテゴリをタッチパネル１４上に表示する。例えば、図１に示すように、携帯端末装置１０は、ユーザ１４ｅによって文字列「ヒューマンセントリックエンジン」がコピー対象として選択されると、各カテゴリのアイコンを表示させる。具体的には、携帯端末装置１０は、個人識別のアイコン１４ａ、特種用語のアイコン１４ｂ、外字文字列のアイコン１４ｃ、地名のアイコン１４ｄを、表示部１４上に表示させる。
【００１４】
続いて、携帯端末装置１０は、コピー操作された文字列を、表示されるカテゴリの中から選択されたカテゴリに対応付けられるメモリの領域に格納する。例えば、図１に示すように、携帯端末装置１０は、ユーザ１４ｅが「ヒューマンセントリックエンジン」をフリック操作した先に表示される特種用語のアイコン１４ｂに対応するメモリ領域に、「ヒューマンセントリックエンジン」を格納する。
【００１５】
したがって、複数の文字列をクリップボードに保持する携帯端末装置１０は、コピー時にユーザが選択したカテゴリに対応するクリップボードに文字列を格納するので、ユーザはペースト時にカテゴリを介して文字列を容易に選択できる。
【００１６】
例えば、図１に示すように、携帯端末装置１０は、表示部１４上でペースト操作を受け付けた場合に、各カテゴリを表示部１４上に表示させる。そして、携帯端末装置１０は、表示部１４上に表示させたカテゴリのうち選択された特種用語１４ｂに対応付けられて記憶されるコピー済みの文字列を表示部１４上に表示させる。その後、携帯端末装置１０は、表示させたコピー済みの文字列のうち選択された文字列「ヒューマンセントリックエンジン」を、指定された位置に貼り付ける。
【００１７】
［携帯端末装置の構成］
図２は、実施例１に係る携帯端末装置の構成を示すブロック図である。図２に示すように、携帯端末装置１０は、アンテナ１１、無線部１２、オーディオ入出力部１３、表示部１４、タッチ検出部１５、記憶部１６、プロセッサ２０を有する。なお、図２に示したハードウェア構成は一例であり、近距離無線部などの他のハードウェアを有していてもよい。
【００１８】
アンテナ１１は、各種データなどの無線信号を送受信する送受信機の一例である。無線部１２は、アンテナ１１を介して、無線通信を実行するＣＣＰＵ（Communication  Central  Processing  Unit）などの一例である。例えば、無線部１２は、アンテナ１１を介して信号を受信し、受信信号をプロセッサ２０へ出力する。また、無線部１２は、アンテナ１１を介して、プロセッサ２０によって生成された信号を送信する。この無線部１２は、例えば携帯端末装置１０が通話可能な携帯電話機である場合には、ユーザの発話音声や受話音声などの信号を送受信する。
【００１９】
オーディオ入出力部１３は、音声の集音や音声出力を実行する入出力インタフェースの一例である。例えば、オーディオ入出力部１３は、マイク１３ａで収音した音声にオーディオ処理を施すと共に、無線部１２経由で受信した無線信号内の音声信号にオーディオ処理を施してスピーカ１３ｂから音響出力する。
【００２０】
表示部１４は、各種情報を表示するディスプレイやタッチパネルの一例である。例えば、表示部１４は、プロセッサ２０によって実行されたアプリケーションの操作画面や発着信の情報などを表示する。タッチ検出部１５は、表示部１４上で操作された情報を検出するインタフェースの一例である。具体的には、タッチ検出部１５は、表示部１４上でユーザが操作した情報を検出し、検出した情報をプロセッサ２０に出力する。例えば、タッチ検出部１５は、表示部１４上でタッチによる静電容量の変化を検知してタッチされた位置を特定する。
【００２１】
記憶部１６は、携帯端末装置１０の各種機能を実行するためのデータや携帯端末装置１０の各種機能を実行するための各種プログラムを格納する記憶装置である。記憶部１６の一例としては、ＲＯＭ（Read  Only  Memory）、ＲＡＭ（Random  Access  Memory）、ハードディスクなどがある。
【００２２】
この記憶部１６は、カテゴリごとに記憶領域を有する。例えば、記憶部１６は、カテゴリごとに分割したクリップボードを有してもよく、１つのクリップボードを各カテゴリに区分けしてもよい。ここでは、一例として、記憶部１６は、カテゴリごとに分割したクリップボードを有している例で説明する。なお、記憶部１６は、コピーされた文字列等を一時的に記憶する複写バッファを有する。
【００２３】
図３は、実施例１に係る携帯端末装置が記憶するクリップボードの例を示す図である。図３に示すように、記憶部１６は、カテゴリ名「個人種別」、「特種用語」、「外字文字列」、「地名」ごとにクリップボードを記憶する。ここで記憶されるカテゴリ名は、ユーザが任意に設定することができる。また、各カテゴリには、コピー済みの情報である「貼り付け候補」が記憶される。
【００２４】
図３の例では、記憶部１６は、カテゴリ名「個人種別」に対応付けて「１．FJ-12345678」と「２．abc@docodemo.com」と「３．1234-1234-1234」を記憶する。また、記憶部１６は、カテゴリ名「特種用語」に対応付けて「１．ヒューマンセントリックエンジン」と「２．テザリングモニタ−」と「３．ソフトハンドオフ」と「４．コンジェションコント」を記憶する。また、記憶部１６は、カテゴリ名「外字文字列」に対応付けて「１．cafe  du  Pari」を記憶する。また、記憶部１６は、カテゴリ名「地名」に対応付けて「１．六浦」と「２．音威子府」を記憶する。なお、ここで示した「１」などの数字は、コピーされた順やペーストされた回数が多い順に自動的に付加される項番である。
【００２５】
また、記憶部１６は、カテゴリのアイコンを表示させる領域を記憶する。図４は、実施例１に係る携帯端末装置が記憶するアイコン表示領域の例を示す図である。図４に示すように、記憶部１６は、「カテゴリ名」と「複写アイコン表示位置」を対応付けて記憶する。ここで記憶される「カテゴリ名」は、図３に対応するカテゴリ名である。「複写アイコン表示位置」は、アイコンを表示させる領域を特定する座標情報である。
【００２６】
図４の例では、「個人識別」のアイコンは、「（Ｘ１１、Ｙ１１）−（Ｘ１２、Ｙ１２）」の領域に表示されることを示す。また、「特種用語」のアイコンは、「（Ｘ２１、Ｙ１１）−（Ｘ２２、Ｙ１２）」の領域に表示されることを示す。また、「外字文字列」のアイコンは、「（Ｘ１１、Ｙ３１）−（Ｘ１２、Ｙ３２）」の領域に表示されることを示す。また、「地名」のアイコンは、「（Ｘ２１、Ｙ３１）−（Ｘ２２、Ｙ３２）」の領域に表示されることを示す。
【００２７】
なお、ここでの複写アイコン表示位置は、予め定めた表示部１４の中心などを基準「０、０」とした場合の座標を示しており、任意に設定変更することができる。また、座標情報に限定されるものではなく、タッチパネル上の位置を特定できる情報であれば様々な情報を用いることができる。
【００２８】
図２に戻り、プロセッサ２０は、記憶部１６が有するＲＯＭやＲＡＭに記憶されるプログラムやデータを用いて、携帯端末装置１０の全体を制御する。プロセッサ２０の一例としては、例えばＣＰＵ（Central  Processing  Unit）やＭＰＵ（Micro  Processing  Unit）などがある。
【００２９】
このプロセッサ２０は、ＲＯＭ等に記憶されるプログラムをＲＡＭに展開して、各種処理に対応する各種プロセスを実行する。例えば、プロセッサ２０は、タッチ検出部１５がユーザのタッチによる操作入力を受け付けると、操作入力に応じた処理を実行し、実行結果を表示部１４に表示する。
【００３０】
（コピー処理）
ここで、コピー処理について具体的に説明する。例えば、プロセッサ２０は、タッチ検出部１５でコピー操作が検出された場合、記憶部１６を参照してカテゴリと表示位置とを特定し、特定した各表示位置に各カテゴリのアイコンを表示部１４に表示させる。そして、プロセッサ２０は、コピー先となるアイコンの選択を表示部１４で受け付ける。その後、プロセッサ２０は、タッチ検出部１５によってコピー先のアイコンの選択が受け付けられると、選択されたアイコンに対応する記憶部１６の領域に、コピーされた文字列等を格納する。
【００３１】
一例を挙げると、プロセッサ２０は、「ヒューマンセントリックエンジン」がコピーされると、「個人識別、特種用語、外字文字列、地名」の各アイコンをタッチパネルに表示する。そして、プロセッサ２０は、ユーザが「ヒューマンセントリックエンジン」をフリック操作すると、フリックされた「ヒューマンセントリックエンジン」を記憶部１６の複写バッファに一時的に格納する。その後、プロセッサ２０は、フリックした方向のアイコンが「特種文字」であることを特定する。そして、プロセッサ２０は、記憶部１６が有するクリップボードのうち「特種文字」に対応付けられるクリップボードの「貼り付け候補」に、複写バッファに記憶される「ヒューマンセントリックエンジン」を格納する。
【００３２】
なお、格納先の選択は、フリック操作に限定されるものではない。例えば、一般的なパーソナルコンピュータで使用される「コピー操作＋格納先選択操作＋格納操作」であっても、同様に処理することができる。例えば、コピーした後、格納先のカテゴリをタッチパネルやマウスで選択するような操作であっても、上記処理と同様に処理することができる。
【００３３】
（ペースト処理）
次に、ペースト処理について具体的に説明する。プロセッサ２０は、タッチ検出部１５によってペースト操作が検出された場合、記憶部１６を参照してカテゴリと表示位置とを特定し、特定した各表示位置に各カテゴリのアイコンを表示部１４に表示させる。そして、プロセッサ２０は、ペースト対象の文字列が格納されるアイコンの選択を受け付ける。その後、プロセッサ２０は、タッチ検出部１５によってアイコンの選択が受け付けられると、選択されたアイコンのカテゴリに対応付けられるコピー済みの文字列を表示部１４に表示させる。そして、プロセッサ２０は、表示させたコピー済みの文字列のうち選択された文字列を、ユーザが指定した位置に貼り付ける。
【００３４】
一例を挙げると、プロセッサ２０は、タッチパネルに対する長押し等のペースト操作を受け付けると、「個人識別、特種用語、外字文字列、地名」の各アイコンをタッチパネルに表示する。そして、プロセッサ２０は、ユーザからアイコン「地名」の選択を受け付ける。すると、プロセッサ２０は、「地名」に対応するクリップボードの「貼り付け候補」に格納されている「１．六浦、２．音威子府」を、タッチパネルに表示させる。その後、プロセッサ２０は、「１．六浦」がユーザに選択されると、ユーザが指定した位置に「六浦」を貼り付ける。
【００３５】
［コピー処理の流れ］
図５は、実施例１に係る携帯端末装置が実行するコピー処理の流れを示すフローチャートである。図５に示すように、携帯端末装置１０のプロセッサ２０は、タッチ検出部１５によって文字列の選択が検出されると（Ｓ１０１：Ｙｅｓ）、記憶部１６に記憶されている各カテゴリのアイコンを、指定される表示部１４の各位置に表示させる（Ｓ１０２）。
【００３６】
その後、プロセッサ２０は、タッチ検出部１５を介してフリック操作を検出すると（Ｓ１０３：Ｙｅｓ）、フリックされた文字列等を記憶部１６の複写バッファに格納する（Ｓ１０４）。
【００３７】
続いて、プロセッサ２０は、表示部１４上において、フリックされた方向にアイコンが存在するか否かを判定する（Ｓ１０５）。そして、プロセッサ２０は、フリックされた方向にアイコンが存在すると判定した場合（Ｓ１０５：Ｙｅｓ）、当該アイコンで特定されるカテゴリに対応付けられるクリップボードの「貼り付け候補」に、複写バッファに格納された文字列を格納する（Ｓ１０６）。
【００３８】
なお、プロセッサ２０は、フリックされた先にアイコンが存在しないと判定した場合（Ｓ１０５：Ｎｏ）、複写バッファに格納された文字列をいずれのクリップボードにも格納せずに、処理を終了する。
【００３９】
［ペースト処理の流れ］
図６は、実施例１に係る携帯端末装置が実行するペースト処理の流れを示すフローチャートである。図６に示すように、携帯端末装置１０のプロセッサ２０は、タッチ検出部１５によってペースト操作が検出されると（Ｓ２０１：Ｙｅｓ）、記憶部１６に記憶される各カテゴリのアイコンを、指定される表示部１４の各位置に表示させる（Ｓ２０２）。
【００４０】
続いて、プロセッサ２０は、タッチ検出部１５によってカテゴリのアイコンが選択されたことが検出されると（Ｓ２０３：Ｙｅｓ）、選択されたカテゴリに対応するクリップボードの「貼り付け候補」の一覧を、表示部１４に表示させる（Ｓ２０４）。
【００４１】
その後、プロセッサ２０は、表示された「貼り付け候補」の一覧から文字列の選択がタッチ検出部１５によって受け付けられると（Ｓ２０５：Ｙｅｓ）、選択された文字列を、ユーザが指定した位置に貼り付ける（Ｓ２０６）。
【００４２】
［効果］
このように、実施例１に係る携帯端末装置１０は、コピー時に、コピーされた文字列をユーザが選択したカテゴリに対応するクリップボードに格納し、ペースト時に、カテゴリを表示させてペースト対象の文字列を選択させることができる。
【００４３】
したがって、携帯端末装置１０は、コピー時にコピー対象の文字列をカテゴライズし、ペースト時にユーザにカテゴリを選択させてペースト操作をすることができるので、コピーまたは切り取った文字列等をペーストする際の操作性を向上させることができる。
【００４４】
例えば、１つのクリップボードに、カテゴリとコピー済みの文字列とを対応付けて記憶することも考えられる。しかし、この手法では、ペースト時に、カテゴリと文字列との対応付けが複数表示されることになるので、ユーザは、ペースト対象の文字列を検索するのに、手間がかかる。特に、カテゴリが細分化されている場合やコピー済みの文字列が膨大な場合は顕著である。
【００４５】
これに比べて、携帯端末装置１０は、コピー時に、ユーザが生成したカテゴリごとのクリップボードに、ユーザが選択したコピー済みの文字列を格納することができる。また、携帯端末装置１０は、ペースト時に、ユーザが選択したカテゴリに対応付けられる、コピー済みの文字列を表示させることができる。したがって、ユーザはペースト時にカテゴリを介して文字列を容易に選択できる。
【実施例２】
【００４６】
ところで、実施例１では、携帯端末装置１０がコピーの保存先として登録されている各カテゴリをタッチパネルに表示する例について説明したが、これに限定されるものではない。例えば、携帯端末装置１０は、コピー対象として選択された文字列等に基づいて、表示するカテゴリを選択することができる。
【００４７】
そこで、実施例２では、携帯端末装置１０が、コピー対象として選択された文字列に基づいて、カテゴリを選択して表示部１４に表示させる例について説明する。ここでは、実施例２に係る処理の流れと具体例について説明する。
【００４８】
［処理の流れ］
図７は、実施例２に係る携帯端末装置が実行するカテゴリ選択処理の流れを示すフローチャートである。図７に示すように、携帯端末装置１０のプロセッサ２０は、タッチ検出部１５によって文字列の選択が開始されると（Ｓ３０１：Ｙｅｓ）、選択された文字列等の種別を判定する（Ｓ３０２）。
【００４９】
例えば、プロセッサ２０は、選択された文字列と、携帯電話等が通常備える辞書等とを比較して、選択された文字列の種別を特定することができる。別の手法としては、プロセッサ２０は、選択された文字列に形態素解析等を実行して、一般的な文字認識等を実行することで、文字列の種別を特定することもできる。別の手法としては、プロセッサ２０は、選択された文字列の中に「＠」が存在する場合には、選択された文字列の種別をメールアドレスと特定することもできる。
【００５０】
また、プロセッサ２０は、選択された対象が画像等である場合には、当該画像のメタデータ、プロファイル、ヘッダ等から画像のタイトルを抽出し、当該タイトルに基づいて種別を判定することもできる。別の手法としては、プロセッサ２０は、選択された画像等が撮像された場所やシチュエーション、さらには、画像解析により抽出された特徴等に基づいて、種別を特定することもできる。
【００５１】
なお、プロセッサ２０は、種別とカテゴリとを対応付けた情報を記憶部１６に予め記憶する。例えば、記憶部１６は、「種別、カテゴリ名」として「メールアドレス、個人識別」、「英語、外字文字列」、「日本語テキスト、地名」、「日本語テキスト、特種用語」などを対応付けて記憶する。
【００５２】
そして、プロセッサ２０は、このようにしてメールアドレスが選択されたと判定した場合（Ｓ３０３：Ｙｅｓ）、記憶部１６を参照して、複写先のアイコンとして「個人情報」のアイコン１４ａを選択する（Ｓ３０４）。すなわち、プロセッサ２０は、選択された文字列の種別がメールアドレスであると判定した場合、複写先のアイコンとして「個人情報」のアイコン１４ａを選択する。なお、プロセッサ２０は、選択された文字列の種別がメールアドレスではないと判定した場合（Ｓ３０３：Ｎｏ）、Ｓ３０４を実行することなくＳ３０５を実行する。
【００５３】
続いて、プロセッサ２０は、このようにして英語が選択されたと判定した場合（Ｓ３０５：Ｙｅｓ）、記憶部１６を参照して、複写先のアイコンとして「外字文字列」のアイコン１４ｃを選択する（Ｓ３０６）。すなわち、プロセッサ２０は、選択された文字列の種別が英語であると判定した場合、複写先のアイコンとして「外字文字列」のアイコン１４ｃを選択する。なお、プロセッサ２０は、選択された文字列の種別が英語ではないと判定した場合（Ｓ３０５：Ｎｏ）、Ｓ３０６を実行することなくＳ３０７を実行する。
【００５４】
続いて、プロセッサ２０は、このようにして日本語テキストが選択されたと判定した場合（Ｓ３０７：Ｙｅｓ）、記憶部１６を参照して、複写先のアイコンとして「地名」のアイコン１４ｄと「特種用語」のアイコン１４ｂを選択する（Ｓ３０８）。すなわち、プロセッサ２０は、選択された文字列の種別が日本語テキストであると判定した場合、複写先のアイコンとして「地名」のアイコン１４ｄと「特種用語」のアイコン１４ｂを選択する。なお、プロセッサ２０は、選択された文字列の種別が日本語テキストではないと判定した場合（Ｓ３０７：Ｎｏ）、Ｓ３０８を実行することなくＳ３０９を実行する。
【００５５】
その後、プロセッサ２０は、Ｓ３０３からＳ３０８で選択された複写先のアイコンの表示位置を、記憶部１６を参照して特定し、特定した表示部１４の各位置に表示させる（Ｓ３０９）。なお、Ｓ３１０からＳ３１３以降の各処理は、Ｓ１０３からＳ１０６の各処理と同様なので、詳細な説明は省略する。
【００５６】
［具体例］
図８は、実施例２に係る携帯端末装置を説明する図である。図８の左図に示すように、携帯端末装置１０は、タッチパネルである表示部１４上で表示される文書において、ユーザ１４ｅが「abc@docodemo.com」をコピーしたことを検出した場合、「abc@docodemo.com」の種別をメールアドレスと判定する。そして、携帯端末装置１０は、種別「メールアドレス」に対応する「個人識別」のアイコン１４ａを、表示部１４の指定位置に表示させる。
【００５７】
また、図８の右図に示すように、携帯端末装置１０は、タッチパネルである表示部１４上で表示される文書において、ユーザ１４ｅが「ヒューマンセントリックエンジン」をコピーしたことを検出する。この場合、携帯端末装置１０は、「ヒューマンセントリックエンジン」の種別を日本語テキストと判定する。そして、携帯端末装置１０は、種別「日本語テキスト」に対応する「地名」のアイコン１４ｄと「特種用語」のアイコン１４ｂとを、表示部１４の指定位置に表示させる。
【００５８】
［効果］
このように、実施例２に係る携帯端末装置１０は、コピーされた文字列等に応じて格納先のカテゴリを選択することができるので、ユーザが複数のカテゴリを設定しておいた場合でも、格納先として想定されるいくつかのカテゴリを表示させることができる。この結果、ユーザのカテゴリ選択を補助することができるので、ユーザの利便性が向上する。
【実施例３】
【００５９】
ところで、実施例２では、携帯端末装置１０がコピー対象の文字列等の種別に基づいてカテゴリを選択する例について説明したが、これに限定されるものではない。例えば、携帯端末装置１０は、コピー対象として選択された文字列と類似する文字列が登録されているカテゴリを表示するカテゴリとして選択することができる。
【００６０】
そこで、実施例３では、携帯端末装置１０が、コピー対象として選択された文字列と類似する文字列が登録されるカテゴリを選択して表示部１４に表示させる例について説明する。ここでは、実施例３に係る処理の流れと具体例について説明する。
【００６１】
［処理の流れ］
図９は、実施例３に係る携帯端末装置が実行するカテゴリ選択処理の流れを示すフローチャートである。図９に示すように、携帯端末装置１０のプロセッサ２０は、タッチ検出部１５によって文字列の選択が検出されると（Ｓ４０１：Ｙｅｓ）、選択文字列の先頭文字を抽出する（Ｓ４０２）。
【００６２】
例えば、プロセッサ２０は、選択された文字列の先頭から４文字を抽出してもよく、先頭から「黒点（・）」、「スラッシュ（／）」、「アンダバー（＿）」、「ピリオド（．）」などの区切り文字までを抽出してもよい。
【００６３】
続いて、プロセッサ２０は、記憶部１６が有する各カテゴリのクリップボードにおける「貼り付け候補」を参照し、抽出した先頭文字と同一先頭文字があるか否かを判定する（Ｓ４０３）。ここでは、プロセッサ２０は、抽出した先頭文字と同一先頭文字があるか否かを判定する例を示したが、これに限定されるものではなく、抽出した先頭文字と同一の文字列を含む文字列があるか否かを判定することもできる。
【００６４】
そして、プロセッサ２０は、抽出した先頭文字と同一先頭文字が検出された場合（Ｓ４０３：Ｙｅｓ）、検出された文字列が格納されるクリップボードに対応するカテゴリを複写先のアイコンとして選択する（Ｓ４０４）。一方、プロセッサ２０は、抽出した先頭文字と同一先頭文字が検出されなかった場合（Ｓ４０３：Ｎｏ）、記憶部１６が有する各クリップボードに対応する各カテゴリを複写先のアイコンとして選択する（Ｓ４０５）。
【００６５】
その後、プロセッサ２０は、Ｓ４０４またはＳ４０５で選択された複写先のアイコンの表示位置を、記憶部１６を参照して特定し、特定した表示部１４の位置に表示させる（Ｓ４０６）。なお、Ｓ４０７からＳ４１０以降の各処理は、Ｓ１０３からＳ１０６の各処理と同様なので、詳細な説明は省略する。
【００６６】
［具体例］
図１０は、実施例３に係る携帯端末装置を説明する図である。図１０に示すように、携帯端末装置１０は、タッチパネルである表示部１４上で表示される文書において、ユーザ１４ｅが「ヒューマンエラー」をコピーしたことを検出した場合、「ヒューマンエラー」の先頭５文字「ヒューマン」を抽出する。
【００６７】
続いて、携帯端末装置１０は、各クリップボードの「貼り付け候補」を参照して、抽出した文字「ヒューマン」と一致する候補があるか否かを判定する。ここでは、携帯端末装置１０は、同一文字を含む文字列として、カテゴリ名「特種用語」の「ヒューマンセントリックエンジン」を検出する。
【００６８】
その後、携帯端末装置１０は、検出された「ヒューマンセントリックエンジン」が登録される「特種用語」のアイコン１４ｂを、表示部１４の指定位置に表示させる。
【００６９】
なお、携帯端末装置１０は、文字列間の類似判定については、上述したように同一の文字列が存在するか否かの手法以外にも様々な手法を利用することができる。例えば、携帯端末装置１０は、レーベンシュタイン距離やジャロ・ウィンクラー距離などを用いることもできる。
【００７０】
また、携帯端末装置１０は、画像等がコピーされた場合には、当該画像のメタデータ、プロファイル、ヘッダ等から画像のタイトルを抽出し、当該タイトルと類似する文字列を含む「貼り付け候補」を検索することができる。別の手法としては、プロセッサ２０は、選択された画像等が撮像された場所やシチュエーション、さらには、画像解析により抽出された特徴等を有する「貼り付け候補」を検索することができる。
【００７１】
［効果］
このように、実施例３に係る携帯端末装置１０は、コピーされた文字列等と類似する文字列等が既に登録されているカテゴリを選択して、表示させることができるので、簡単に類似語を同一カテゴリに記憶させることができる。この結果、ユーザは、ペースト時に、類似語の検索が簡単となり、ペースト時の操作性が向上する。
【実施例４】
【００７２】
ところで、実施例１−３では、携帯端末装置１０が、指定された領域にアイコンを表示する例を説明したが、これに限定されるものではない。例えば、携帯端末装置１０は、コピー対象として選択された文字列の周辺に各カテゴリのアイコンを表示させることができる。そこで、実施例４では、アイコンの表示例について説明する。
【００７３】
図１１は、実施例４に係る携帯端末装置のアイコン表示例１を説明する図である。図１１に示すように、携帯端末装置１０のプロセッサ２０は、ユーザ１４ｅが文字列「ヒューマンセントリックエンジン」を選択したことを検出すると、選択された文字列の下にカテゴリリスト１７を表示させる。このようにすることで、フリック操作する距離が短くなり、操作ミス等を抑制することができる。
【００７４】
図１２は、実施例４に係る携帯端末装置のアイコン表示例２を説明する図である。図１２に示すように、携帯端末装置１０のプロセッサ２０は、ユーザ１４ｅが文字列「ヒューマンセントリックエンジン」を選択したことを検出すると、選択された文字列の周辺に、各カテゴリ名の先頭文字を表示させたアイコンを表示させる。このようにすることで、フリック操作する距離が短くなり、操作ミス等を抑制することができる。
【実施例５】
【００７５】
さて、これまで本発明の実施例について説明したが、本発明は上述した実施例以外にも、種々の異なる形態にて実施されてよいものである。そこで、以下に異なる実施例を説明する。
【００７６】
（クリップボード）
実施例１−４では、カテゴリごとにクリップボードを有する例を説明したが、つまり、メモリが、カテゴリごとに分割された領域を有する例で説明したが、これに限定されるものではない。例えば、１つのクリップボード内の領域をカテゴリごとに区分けしてもよい。図１３は、１つのクリップボードの領域を区分けした例を示す図である。
【００７７】
図１３に示すように、携帯端末装置１０は、１つのクリップボードを、（１）カテゴリ名：個人種別、（２）カテゴリ名：特種用語、（３）カテゴリ名：外字文字列、（４）カテゴリ名：地名に区分けする。そして、携帯端末装置１０は、コピー操作を検出すると、各カテゴリのアイコンを表示させ、選択されたカテゴリの領域に格納する。例えば、携帯端末装置１０は、文字列「東京」の格納先として「地名」のアイコンが選択されると、図１３に示す（４）カテゴリ名：地名の「貼り付け候補：音威子府」の次に「貼り付け候補：東京」を登録する。
【００７８】
このように、携帯端末装置１０は、複数のクリップボードを用意するのではなく、１つのクリップボードを各カテゴリで共有することもできる。こうすることで、メモリ使用量の削減が期待できる。
【００７９】
また、上述の各実施例では、メモリ内に各カテゴリの領域を用意しておく形態を開示したが、本発明はこれに限られるものではない。例えば、コピー操作時に、指定されたカテゴリに対応付けて、メモリの任意の空き領域に文字列等を格納する形態も考えられる。このようにすることで、予めメモリ内に各カテゴリの領域を確保しておく必要がなくなるため、メモリ領域を不必要に占有してしまうことを防ぐことが可能となる。
【００８０】
（強調表示）
実施例２と３では、携帯端末装置１０が、コピー対象の文字列に基づいてカテゴリを選択し、選択したカテゴリのアイコンを表示させる例について説明したが、これに限定されるものではない。例えば、携帯端末装置１０が、コピー操作が検出されると、各カテゴリのアイコンを表示する一方で、コピー対象の文字列に基づいて選択したカテゴリのアイコンを強調表示してもよい。強調表示の例としては、アイコンの色を変える、アイコンを大きくする、アイコンの表示位置を中心にするなどがある。
【００８１】
（システム）
また、本実施例において説明した各処理のうち、自動的におこなわれるものとして説明した処理の全部または一部を手動的におこなうこともできる。あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００８２】
また、図示した各装置の各構成要素は機能概念的なものであり、必ずしも物理的に図示の如く構成されていることを要しない。すなわち、各装置の分散や統合の具体的形態は図示のものに限られない。つまり、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。例えば、携帯端末装置１０は、複写制御プログラムをメモリに展開し、複写制御プロセスを実行することで、上記各実施例と同様の機能を実行することもできる。
【符号の説明】
【００８３】
１０  携帯端末装置
１１  アンテナ
１２  無線部
１３  オーディオ入出力部
１４  表示部
１５  タッチ検出部
１６  記憶部
２０  プロセッサ
【図１】
2014203404.tif 000003
【図２】
2014203404.tif 000004
【図３】
2014203404.tif 000005
【図４】
2014203404.tif 000006
【図５】
2014203404.tif 000007
【図６】
2014203404.tif 000008
【図７】
2014203404.tif 000009
【図８】
2014203404.tif 000010
【図９】
2014203404.tif 000011
【図１０】
2014203404.tif 000012
【図１１】
2014203404.tif 000013
【図１２】
2014203404.tif 000014
【図１３】
2014203404.tif 000015